(57)【要約】【課題】撮像手段を備えた携帯端末装置において、より容易な操作で多機能の撮像画像の加工・編集処理を可能にする。【解決手段】撮像部２４と、撮像された撮像データに基づく画像を表示する表示部１２と、複数のキーが設けられたキー操作部１１と、を備えた携帯電話機１００に、撮像部２４により撮像された撮像データに対して所定の画像処理を実行させるためのコマンドと、複数のキーの各キーとを対応付け、複数のキーのうち何れかが指定されると、ＣＰＵ２１が、その指定されたキーと対応付けられたコマンドに基づく画像処理を撮像データに対して実行し、同撮像データに基づく画像を表示部１２に表示させるように構成した。【選択図】　　　図４
2004070912.tif 000002
【特許請求の範囲】
【請求項１】
撮像手段と、前記撮像手段により撮像された撮像データに基づく画像を表示する表示部と、複数のキーが設けられたキー操作部と、を備えた携帯端末装置において、
前記撮像手段により撮像された撮像データに対して所定の画像処理を実行させるためのコマンドと、前記複数のキーの各キーとが対応付けられ、
前記複数のキーのうち何れかが指定されると、その指定されたキーと対応付けられたコマンドに基づく画像処理を前記撮像データに対して実行する実行手段と、
前記実行手段により画像処理された撮像データに基づく画像を前記表示部に表示させる表示制御手段と、
を備えることを特徴とする携帯端末装置。
【請求項２】
請求項１に記載の携帯端末装置において、
前記複数のキーの一部がｎ行×ｍ列に配置され、
前記表示部の表示画面をｎ行×ｍ列に分割した分割表示画面部と、ｎ行×ｍ列に配置された各キーとが夫々対応付けられ、
前記実行手段は、指定されたキーに対応する分割表示画面部の撮像データに対して画像処理を実行することを特徴とする携帯端末装置。
【請求項３】
請求項２に記載の携帯端末装置において、
前記実行手段は、指定された分割表示画面部の撮像データの拡大処理を実行することを特徴とする携帯端末装置。
【請求項４】
請求項１に記載の携帯端末装置において、
前記複数のキーの一部が３行×３列に配置され、
前記３行×３列に配置されたキーは、中央のキーを除いて８方向を示すカーソルキーとして構成され、
前記実行手段は、指定されたキーに対応する方向に撮像データのスクロール処理を実行することを特徴とする携帯端末装置。
【請求項５】
請求項１に記載の携帯端末装置において、
前記複数のキーの一部が３行×３列に配置され、
前記３行×３列に配置されたキーは、中央のキーを除いて８方向を示すカーソルキーとして構成され、
前記３行×３列に配置されたキーの各方向と、所定の画像特性のレベルが変化する方向と、が対応付けられており、
前記実行手段は、指定されたキーに対応する方向に所定の画像特性のレベルを調節する画像調節処理を行うことを特徴とする携帯端末装置。
【請求項６】
請求項１に記載の携帯端末装置において、
前記キーは数字キーであり、
前記所定の画像処理は、所定の画像特性のレベルを変化させる画像処理であり、
前記キーの数字と、前記所定の画像特性のレベルとが対応付けられていることを特徴とする携帯端末装置。
【請求項７】
複数の画像データを記憶する画像記憶部と、前記画像データに基づいた画像を表示する表示部と、複数のキーが設けられたキー操作部と、を備えた携帯端末装置において、
前記画像記憶部に記憶された画像データに基づいて、その各画像のサムネイルを作成するサムネイル作成手段と、
前記サムネイル作成手段により作成された複数のサムネイルを、前記表示部に表示するサムネイル表示制御手段と、
前記表示部に表示された前記複数のサムネイルの各サムネイルと、前記複数のキーの各キーとが対応づけられ、
前記複数のキーのうち何れかが指定されると、その指定されたキーと対応づけられたサムネイルの画像データに対して、所定の画像処理を行う画像処理手段と、
を備えることを特徴とする携帯端末装置。
【請求項８】
請求項７に記載の携帯端末装置において、
前記複数のキーの一部がｎ行×ｍ列に配置され、
前記表示部の表示画面をｎ行×ｍ列に分割した分割表示画面部と、ｎ行×ｍ列に配置された各キーとが夫々対応付けられ、
前記画像処理手段は、指定されたキーと対応する分割表示画面部に表示されているサムネイルの画像データに対して画像処理を行うことを特徴とする携帯端末装置。
【請求項９】
請求項７又は８に記載の携帯端末装置において、
前記画像処理手段は、指定されたサムネイルの画像データの表示処理を行うことを特徴とする携帯端末装置。
【請求項１０】
請求項７〜９の何れかに記載の携帯端末装置において、
少なくとも２方向を示すカーソルキーを備え、
前記サムネイル表示制御手段は、指定されたキーに対応する方向にスクロールするようにして、前記表示部に表示するサムネイルを更新する表示更新処理を実行することを特徴とする携帯端末装置。
【請求項１１】
前記携帯端末装置は、携帯型電話機であることを特徴とする請求項１〜１０の何れか一項に記載の携帯端末装置。
【請求項１２】
前記携帯端末装置は、ポータブルコンピュータであることを特徴とする請求項１〜１０の何れか一項に記載の携帯端末装置。
【発明の詳細な説明】
【０００１】
【発明の属する技術分野】
本発明は、撮像機能を備えた携帯端末装置に関する。
【０００２】
【従来の技術】
近年、携帯電話機等の携帯端末装置に、撮像ユニットを備えたものが知られている。このような携帯端末装置は、撮像ユニットを介して撮像した動画像、静画像等を表示部に表示したり、電子メール等に添付して他の端末装置に送信することができる。
【０００３】
また、例えば、デジタルカメラやパーソナルコンピュータ等の画像処理装置等において、記憶されている複数の画像（撮像画像、その他の画像等を含む）の検索を容易するため、サムネイル表示機能を備えたものがある（例えば、特許文献１）。
【０００４】
【特許文献１】
特開平８−１９５９２７号公報（第１項−６項、第１図−第１０図）
【０００５】
【発明が解決しようとする課題】
ところで、上記のように撮像手段を備えた携帯端末装置は、メモリ領域や表示部の大きさ、キーの数が限られていることから、撮像した画像を更に加工・編集する機能を備えているものはあまりなく、そのような機能を備えている場合にも、上記の理由から機能が限られていたり、或いは操作が煩雑であるという問題があった。
また、上記特許文献１においても、携帯電話機等の携帯端末装置においてサムネイル表示を行う発明については記載されておらず、示唆もされていない。
【０００６】
そこで、本発明の課題は、撮像画像を含む各種画像に対して、より容易な操作で多機能の加工・編集処理が可能な携帯端末装置を提供することである。
【０００７】
【課題を解決するための手段】
上記課題を解決するため、請求項１に記載の発明は、撮像手段と、前記撮像手段により撮像された撮像データに基づく画像を表示する表示部と、複数のキーが設けられたキー操作部と、を備えた携帯端末装置において、
前記撮像手段により撮像された撮像データに対して所定の画像処理を実行させるためのコマンドと、前記複数のキーの各キーとが対応付けられ、
前記複数のキーのうち何れかが指定されると、その指定されたキーと対応付けられたコマンドに基づく画像処理を前記撮像データに対して実行する実行手段と、
前記実行手段により画像処理された撮像データに基づく画像を前記表示部に表示させる表示制御手段と、
を備えることを特徴とする。
【０００８】
ここで、画像処理とは、例えば、撮像データの拡大処理、縮小処理、明るさ、コントラスト、階調補正、色調補正、サムネイル作成処理、サムネイル表示処理等であるが、このほかどのようなものであってもよい。
【０００９】
請求項１に記載の発明によれば、撮像手段により撮像された撮像データに対して所定の画像処理を実行させるためのコマンドと、複数のキーの各キーとが対応付けられており、実行手段により、操作者等により複数のキーのうち何れかが指定されると、その指定されたキーと対応付けられたコマンドに基づく画像処理が撮像データに対して実行され、表示制御手段により、実行手段により画像処理された撮像データに基づく画像が表示部に表示されるので、撮像データに対する多機能な画像処理が、より容易なキー操作に基づいて実行されて表示されることとなって、使いやすく大変便利なものとなる。
【００１０】
請求項２に記載の発明は、請求項１に記載の携帯端末装置において、
前記複数のキーの一部がｎ行×ｍ列に配置され、
前記表示部の表示画面をｎ行×ｍ列に分割した分割表示画面部と、ｎ行×ｍ列に配置された各キーとが夫々対応付けられ、
前記実行手段は、指定されたキーに対応する分割表示画面部の撮像データに対して画像処理を実行することを特徴とする。
【００１１】
ここで、ｎ、ｍは、任意の自然数である。
請求項２に記載の発明によれば、請求項１に記載の発明と同様の効果が得られるのは勿論のこと、特に、複数のキーの一部がｎ行×ｍ列に配置され、表示部の表示画面をｎ行×ｍ列に分割した分割表示画面部と、ｎ行×ｍ列に配置された各キーとが夫々対応付けられており、実行手段により、指定されたキーに対応する分割表示画面部の撮像データに対して画像処理が実行されるので、撮像画像に対して、所定の画像領域の部分の指定処理及び指定した部分の画像処理を容易に実行することができる。
【００１２】
請求項３に記載の発明は、請求項２に記載の携帯端末装置において、
前記実行手段は、指定された分割表示画面部の撮像データの拡大処理を実行することを特徴とする。
【００１３】
請求項３に記載の発明によれば、請求項２に記載の発明と同様の効果が得られるのは勿論のこと、特に実行手段により、指定された分割表示画面部の撮像データの拡大処理が実行されるので、所望する分割表示画面部をより容易に拡大して表示部に表示することができる。
【００１４】
請求項４に記載の発明は、請求項１に記載の携帯端末装置において、
前記複数のキーの一部が３行×３列に配置され、
前記３行×３列に配置されたキーは、中央のキーを除いて８方向を示すカーソルキーとして構成され、
前記実行手段は、指定されたキーに対応する方向に撮像データのスクロール処理を実行することを特徴とする。
【００１５】
請求項４に記載の発明によれば、請求項１に記載の発明と同様の効果が得られるのは勿論のこと、特に、複数のキーの一部が３行×３列に配置され、３行×３列に配置されたキーは、中央のキーを除いて８方向を示すカーソルキーとして構成され、実行手段により、指定されたキーに対応する方向に撮像データのスクロール処理が実行されるので、表示された撮像画像のスクロール処理が少ないキーで容易に行うことができる。
【００１６】
請求項５に記載の発明は、請求項１に記載の携帯端末装置において、
前記複数のキーの一部が３行×３列に配置され、
前記３行×３列に配置されたキーは、中央のキーを除いて８方向を示すカーソルキーとして構成され、
前記３行×３列に配置されたキーの各方向と、所定の画像特性のレベルが変化する方向と、が対応付けられており、
前記実行手段は、指定されたキーに対応する方向に所定の画像特性のレベルを調節する画像調節処理を行うことを特徴とする。
ここで、所定の画像特性とは、例えば、画像の明るさ、コントラスト、色調、階調、ホワイトバランス等であるが、これらに限定されるものではない。また、この画像特性のレベルは、１つの画像特性であっても、複数の画像特性を組み合わせたレベルであってもよい。
【００１７】
請求項５に記載の発明によれば、請求項１に記載の発明と同様の効果が得られるのは勿論のこと、特に、複数のキーの一部が３行×３列に配置され、３行×３列に配置されたキーは、中央のキーを除いて８方向を示すカーソルキーとして構成され、３行×３列に配置されたキーの各方向と、所定の画像特性のレベルが変化する方向と、が対応付けられており、実行手段により、指定されたキーに対応する方向に所定の画像特性のレベルを調節する画像調節処理が実行されるので、画像特性の調節処理が、より容易なキー操作で実行できる。
【００１８】
請求項６に記載の発明は、請求項１記載の携帯端末装置において、
前記キーは数字キーであり、
前記所定の画像処理は、所定の画像特性のレベルを変化させる画像処理であり、
前記キーの数字と、前記所定の画像特性のレベルとが対応付けられていることを特徴とする。
【００１９】
請求項６に記載の発明は、請求項１に記載の発明と同様の効果が得られるのは勿論のこと、特にキーは数字キーであり、所定の画像処理は、所定の画像特性のレベルを変化させる画像処理であり、キーの数字と、前記所定の画像特性のレベルとが対応付けられているので、所望の画像処理における所定の画像特性のレベルに対応した数字キーを指定するだけで画像特性のレベルが変化することとなって、操作がわかりやすい。また、レベルを数段階上げる場合でも一回の操作でできるので、より操作が容易である。
【００２０】
請求項７に記載の発明は、複数の画像データを記憶する画像記憶部と、前記画像データに基づいた画像を表示する表示部と、複数のキーが設けられたキー操作部と、を備えた携帯端末装置において、
前記画像記憶部に記憶された画像データに基づいて、その各画像のサムネイルを作成するサムネイル作成手段と、
前記サムネイル作成手段により作成された複数のサムネイルを、前記表示部に表示するサムネイル表示制御手段と、
前記表示部に表示された前記複数のサムネイルの各サムネイルと、前記複数のキーの各キーとが対応づけられ、
前記複数のキーのうち何れかが指定されると、その指定されたキーと対応づけられたサムネイルの画像データに対して、所定の画像処理を行う画像処理手段と、
を備えることを特徴とする。
【００２１】
ここで、画像データとは、例えば、撮像画像データ、他の装置より受信した受信画像データ、圧縮した画像データ等であるが、これらに限定されずどのような画像データであってもよい。また、サムネイルとは、画像の縮小画像であって、画像処理を行う画像データを選択するための見本画像として用いられるものである。
また、所定の画像処理とは、例えば、画像の表示処理、拡大・縮小処理、明るさ・コントラスト・階調・色調等の補正表示処理、画像の送信処理等であるが、このほかどのようなものであってもよい。
【００２２】
請求項７に記載の発明によれば、サムネイル作成手段により、画像記憶部に記憶された画像データに基づいて各画像のサムネイルが作成され、サムネイル表示制御手段により、この複数のサムネイルが表示部に表示され、画像処理手段により、各サムネイルと対応づけられた複数キーの何れかが指定されると、指定されたキーに対応するサムネイルの画像データに対して所定の画像処理が行われる。従って、携帯端末装置の操作者は、サムネイルにより画像データの内容が把握できるので、所定の画像処理を行いたい画像の選択がし易くなる。
【００２３】
請求項８に記載の発明は、請求項７に記載の携帯端末装置において、
前記複数のキーの一部がｎ行×ｍ列に配置され、
前記表示部の表示画面をｎ行×ｍ列に分割した分割表示画面部と、ｎ行×ｍ列に配置された各キーとが夫々対応付けられ、
前記画像処理手段は、指定されたキーと対応する分割表示画面部に表示されているサムネイルの画像データに対して画像処理を行うことを特徴とする。
【００２４】
ここで、ｎ、ｍは、任意の自然数である。
請求項８に記載の発明によれば、請求項７に記載の発明と同様の効果が得られるのは勿論のこと、特に、複数のキーの一部がｎ行×ｍ列に配置され、表示部の表示画面をｎ行×ｍ列に分割した分割表示画面部と、ｎ行×ｍ列に配置された各キーとが夫々対応付けられており、画像処理手段により、指定されたキー対応する分割表示画面部に表示されているのサムネイルの画像データに対して画像処理が行われるので、画像処理を行いたい画像の選択処理がより容易となる。
【００２５】
請求項９に記載の発明は、請求項７又は８に記載の携帯端末装置において、
前記画像処理手段は、指定されたサムネイルの画像データの表示処理を行うことを特徴とする。
【００２６】
請求項９に記載の発明によれば、請求項７又は８に記載の発明と同様の効果が得られるのは勿論のこと、特に、画像処理手段により、指定された分割表示画面部のサムネイルの画像データの表示処理が実行されるので、所望する画像の表示選択処理を容易に行うことができる。
【００２７】
請求項１０に記載の発明は、請求項７〜９の何れかに記載の携帯端末装置において、
少なくとも２方向を示すカーソルキーを備え、
前記サムネイル表示制御手段は、指定されたキーに対応する方向にスクロールするようにして、前記表示部に表示するサムネイルを更新する表示更新処理を実行することを特徴とする。
【００２８】
請求項１０に記載の発明によれば、請求項７〜９の何れかに記載の発明と同様の効果が得られるのは勿論のこと、特に、少なくとも２方向を示すカーソルキーを備えており、サムネイル表示制御手段により、指定されたキーに対応する方向にスクロールするようにして、サムネイルの表示が更新されるので、サムネイルの参照がしやすい。
【００２９】
請求項１１に記載の発明は、請求項１〜１０の何れか一項に記載の携帯端末装置において、前記携帯端末装置は、携帯電話機であることを特徴とする。
【００３０】
請求項１１に記載の発明によれば、請求項１〜１０の何れか一項に記載の発明と同様の効果が得られるのは勿論のこと、特に、携帯電話機において、撮像画像を処理する際に、操作が容易であるため便利である。
【００３１】
請求項１２に記載の発明は、請求項１〜１０の何れか一項に記載の携帯端末装置において、前記携帯端末装置は、ポータブルコンピュータであることを特徴とする。
ここで、ポータブルコンピュータとは、例えば、ノート型パーソナルコンピュータ、ＰＤＡ等であるが、携帯電話機やＰＨＳ等の通信機能を複合的に有しているものや、ブルートゥース等の無線通信機能を有していてもよい。
【００３２】
請求項１２に記載の発明によれば、請求項１〜１０の何れか一項に記載の発明と同様の効果が得られるのは勿論のこと、特に、ポータブルコンピュータにおいて、撮像画像を処理する際に、操作が容易であるため便利である。
【００３３】
【発明の実施の形態】
以下、本発明に係る携帯端末装置の実施の形態について、図１〜図１３を用いて説明する。本実施の形態においては、携帯端末装置の一形態として、携帯電話機１００を例にして以下、説明を行う。
【００３４】
［第１の実施の形態］
まず、図１〜図８を用いて、第１の実施の形態における携帯電話機１００の動作について、以下で説明する。
【００３５】
携帯電話機１００は、図１の（ａ）、（ｂ）の外観斜視図に示すように、本体１０Ａと蓋体１０Ｂとが折り畳み自在にヒンジ部１０Ｃを介して連結されている。そして、本体１０Ａの折り畳み時に内側となる面（以後、内面とする）１０Ｄにキー操作部１１が配され、蓋体１０Ｂの内面１０Ｅに表示部１２が設けられ、蓋体１０Ｂの外面１０Ｆに、後述する撮像部２４の撮像レンズ１３が設けられている。また、携帯電話機１０には、伸縮自在のアンテナ１４や、図示しない充電パック等の電源部等が設けられている。
そして、これらの各構成要素は本体１０Ａの内部に収納された回路基板の電子回路に接続され、後述するＣＰＵ２１により各部の動作が制御される。
【００３６】
具体的に、携帯電話機１００は、図２のブロック図に示すように、図１の表示部１２、アンテナ１３、撮像レンズ１４の他、ＣＰＵ２１、ＲＡＭ２２、ＲＯＭ２３、撮像部２４、キー信号入力部２５、通信部２６等を備えて構成されている。尚、携帯電話機１００は、上記構成部の他、携帯電話機として音声データの送受を行うための各機能、例えば、スピーカ、音声処理部等を備えているものとする。
【００３７】
キー操作部１１は、図３に示すように、０〜９までの１０個の数字キー１１Ａ〜１１Ｊ、＊１１Ｋ、＃１１Ｌ等の記号キー、前後左右の４つの矢印キー１１Ｍ、１１Ｎ、１１Ｏ、１１Ｐ、各種機能を決定する決定キー１１Ｑ、電話機能キー（通話開始キー１１Ｒ、通話終了キー１１Ｓ）、及びの複数のファンクションキー１１Ｔ、１１Ｕ、１１Ｖ等の各種キースイッチを備え、これらのキースイッチの押下信号は、キー信号入力部２５により、入力信号としてＣＰＵ２１に出力される。
【００３８】
表示部１２は、例えば、有機ＥＬ（Ｅｌｅｃｔｒｏ　　Ｌｕｍｉｎｅｓｃｅｎｃｅ）パネルやＬＣＤ（Ｌｉｑｕｉｄ　Ｃｒｙｓｔａｌ　　Ｄｉｓｐｌａｙ）パネル等を備えており、ＣＰＵ２１から出力される表示画面データを表示させる。
【００３９】
アンテナ１４は、例えば、逆Ｆアンテナやホイップアンテナ等であり、図示しない無線基地局から送信された無線信号を受信するとともに、通信部２６から出力される信号を無線基地局に向けて発信する。
【００４０】
ＣＰＵ（Ｃｅｎｔｒａｌ　Ｐｒｏｃｅｓｓｉｎｇ　Ｕｎｉｔ）２１は、ＲＯＭ２３に記憶されているシステムプログラム及び携帯電話機１００の各機能に対応する各種アプリケーションプログラムの中から指定されたアプリケーションプログラムをＲＡＭ２２に展開し、キー入力部１１のキー操作により入力部２６から入力される各種指示或いはそれに応じた各種データをＲＡＭ２２に一時格納し、この入力指示及び入力データに応じてＲＯＭ２３に格納されたアプリケーションプログラムに従って各種処理を実行し、その処理結果をＲＡＭ２２に格納する。
【００４１】
ＣＰＵ２１は、撮像部２４を制御して、図１の撮像レンズ１３の前方の撮像対象範囲の撮影を実行させ、撮像画像の画像データを取り込む。
また、ＣＰＵ２１は、表示制御手段として、撮像部２４により生成された画像データをＪＰＥＧ（Ｊｏｉｎｔ　Ｐｈｏｔｏｇｒａｐｈｉｃ　Ｅｘｐｅｒｔ　Ｇｒｏｕｐ）、ＰＮＧ（Ｐｏｒｔａｂｌｅ　Ｎｅｔｗｏｒｋ　Ｇｒａｐｈｉｃｓ）等の画像圧縮方式でＲＡＭ２２に格納し、保存前の画像であるプレビュー画像、或いは撮像画像、保存画像等を、表示部１２に出力し、表示させる。
【００４２】
また、ＣＰＵ２１は、実行手段として、キー操作部１１の押下信号に基づいてキー信号入力部２５により出力される信号に基づいて、撮像画像に対する各種画像処理を実行する。
例えば、ＣＰＵ２１は、キー操作部１１の入力信号に基づいて、所定画像領域の画像を拡大縮小させて表示部１２に表示させる。
【００４３】
また、ＣＰＵ２１は、撮像画面の明るさやコントラストを調節処理し、調節した画像データを作成して、表示部１２に表示させる。
【００４４】
ＲＡＭ（Ｒａｎｄｏｍ　Ａｃｃｅｓｓ　Ｍｅｍｏｒｙ）２２は、ＣＰＵ２１により実行されるアプリケーションプログラム、撮像画像取得処理プログラム、撮像画像処理プログラム、入力指示、入力データ及び処理結果等を格納及び展開するワークメモリエリアを有する。
【００４５】
ＲＯＭ（Ｒｅａｄ　Ｏｎｌｙ　Ｍｅｍｏｒｙ）２３は、フラッシュメモリ等により構成され、システムプログラム、及び当該システムに対応する各種アプリケーションプログラム等の各種動作プログラム、画像取得プログラム、ＪＰＥＧ、ＪＢＩＧ、ＰＮＧ等の方式による画像圧縮プログラム、画像処理プログラム、及びこれらのプログラムに係るデータ等を記憶する。
【００４６】
撮像部２４は、撮像手段として、図１の撮像レンズ１３、図示しないＣＣＤ（Ｃｈａｒｇｅ　Ｃｏｕｐｌｅｄ　　Ｄｅｖｉｃｅ）やＣＭＯＳ（Ｃｏｍｐｌｅｍｅｎｔａｒｙ　　Ｍｅｔａｌ　Ｏｘｉｄｅ　　Ｓｅｍｉｃｏｎｄｕｃｔｏｒ）等の撮像素子等を備え、ＣＰＵ２１の制御に従って撮像レンズ１３前方の撮像対象範囲を撮影する。より詳細には、撮像レンズ１３から入力される画像をＣＭＯＳ等により電気信号に変換し、図示しないＡ／Ｄ変換回路等でデジタル信号としての画像データを生成して、この画像データをＣＰＵ２１に出力する。
【００４７】
キー信号入力部２５は、キー操作部１１に接続され、キー操作部１１における各種キーの押下に応じて入力信号を生成し、ＣＰＵ２１に出力する。
【００４８】
通信部２６は、モデム（ＭＯＤＥＭ：ＭＯｄｕｌａｔｏｒ／ＤＥＭｏｄｕｌａｔｏｒ）、及びＲＦ（Ｒａｄｉｏ　Ｆｒｅｑｕｅｎｃｙ）回路等を備え、図１のアンテナ１４に接続されている。そして、通信部２６は、他の端末等へのデータ（例えば、音声データ、画像データ等）の送信時に、ＣＰＵ２１よりＲＡＭ２２に読み出された信号をモデムにより変調し、変調された信号をＲＦ部で周波数変換し増幅する。また、他の端末からのデータ（例えば、音声データ、画像データ、テキストデータ等）受信時には、アンテナ１４により受信した信号をＲＦ回路で増幅して周波数変換し、周波数変換された信号をモデムにより復調する。
尚、データ（例えば、音声データ、画像データ、テキストデータ等）の送受信の際には、図示しない無線基地局との間で、例えば、Ｗ−ＣＤＭＡ方式等の携帯電話機方式に対応する通信プロトコルを実行する。
【００４９】
次いで、上記のように構成された携帯電話機１００の第１の実施の形態における動作について、図４のフローチャートに沿って、以下説明する。
【００５０】
まず、携帯電話機１００の操作者により、キー操作部１１の所定のキーの押下により携帯電話機１００の電源が入ると、その入力信号がＣＰＵ２１に出力され、ＣＰＵ２１は、ＲＯＭ２３に格納された所定のシステムプログラム（図示なし）に従って各種の制御動作が可能な状態となる。
そして、操作者のキー操作部１１の操作により画像撮像モードに設定された上で、同操作者により撮像画像の取得のための所定のキー操作が行われる。すると、同キー操作信号がキー信号入力部２５によりＣＰＵ２１に出力されるので、ＣＰＵ２１は、ＲＯＭ２３に格納されている所定の画像取得プログラム、画像処理プログラム等をＲＡＭ２２のワークエリアに格納した上で、同プログラムに基づいて、撮像部２４を制御して、撮像処理を実行する。具体的には、撮像レンズ１３より、その前方の画像が取り込まれて、撮像部２４においてデジタル画像処理が実行されて撮像画像データが生成され、生成された撮像画像データがＣＰＵ２１に出力される（ステップＳ１１）。
【００５１】
次いで、ＣＰＵ２１は、撮像部２４で生成された撮像画像データをＲＡＭ２２に一時格納した上で、表示部１２に表示させる（ステップＳ１２）。すると、表示部１２には、図５に示すような撮像画面１２ａが表示される。ここで、図５に示す撮像画面は、撮像画像の全画面表示であって、更に、この撮像画像上には、撮像画像の画像領域を９分割する分割ラインが表示され、９つの分割領域（分割表示画面部）のそれぞれには、分割エリア番号として１〜９の数字が表示されている。そして、この分割領域に表示されている１〜９の数字は、キー操作部１１の１〜９の数字キー１１Ａ〜１１Ｉのそれぞれと対応づけられている。尚、上記分割ライン及び分割エリア番号は、キー操作部１１の所定の操作に基づいて、撮像画像上に表示・不表示の選択可能とする。
【００５２】
次いで、ＣＰＵ２１は、操作者により、キー操作部１１の１〜９の数字キー１１Ａ〜１１Ｉの何れかのキーが押下されたか否かを、キー信号入力部２５からの入力信号の有無により判断する（ステップＳ１３）。そして、ＣＰＵ２１は、１１Ａ〜１１Ｉのうち、何れかの数字キーが入力されたと判断した場合（ステップＳ１３：Ｙｅｓ）には、ステップＳ１４に移行し、何れのキーも入力されていないと判断した場合（ステップＳ１３：Ｎｏ）には、ステップＳ１５に移行する。
【００５３】
ステップＳ１４において、ＣＰＵ２１は、ステップＳ１３で入力された数字キー（例えば、「６」キー１１Ｆとする）と同じ番号の付けられている画像領域（例えば、６番）の画像を拡大させて、例えば図６に示すような拡大画像１２ｂを表示部１２に表示させ、ステップＳ１７に移行する。
【００５４】
一方、ステップＳ１５において、ＣＰＵ２１は、キー操作部１１の「＊」キー１１Ｋが入力されたか否かを、キー信号入力部２５からの入力信号の有無で判断し、入力されたと判断した場合（ステップＳ１５：Ｙｅｓ）には、ステップＳ１６に移行し、入力されていないと判断した場合（ステップＳ１５：Ｎｏ）には、ステップＳ１９に移行する。
【００５５】
ステップＳ１６において、ＣＰＵ２１は、表示部１２に表示されている撮像画像データの中心部分を中心にした拡大画像データを作成し、図７に示すような拡大画像１２ｃを表示部１２に拡大表示させ、ステップＳ１７に移行する。このとき、撮像画像データの全部が表示部１２に表示されない構成となってもよく、更に、この拡大画像を９分割する分割ラインと分割エリア番号とが表示され、ステップＳ１４と同様にして指定画像領域の拡大表示処理をおこなってもよい。また、このステップＳ１６の拡大表示処理は、ステップＳ１３において、「５」キー１１Ｅが選択されて拡大表示されたのと同処理であっても、それとは拡大領域や拡大倍率等が異なっている構成であってもよい。
【００５６】
次いで、ステップＳ１７において、任意の拡大画像が表示された状態において、ＣＰＵ２１は、「１」〜「９」の１１Ａ〜１１Ｉの何れかの数字キーが入力されたか否かをステップＳ１３と同様にして判断する。そして、ＣＰＵ２１は、何れかのキー（例えば、「９」キー１１Ｉ）が入力されたと判断した場合（ステップＳ１７：Ｙｅｓ）には、ステップＳ１８に移行し、何れのキーも入力されていないと判断した場合（ステップＳ１７：Ｎｏ）にはステップＳ２１に移行する。
【００５７】
ステップＳ１８において、ＣＰＵ２１は、入力された数字キー（例えば、「９」キー１１Ｉ）の方向に、拡大撮像画像をスクロール処理して表示部１２に表示させる。即ち、このとき、「１」〜「９」の数字キー１１Ａ〜１１Ｉは、８方向を示すカーソルキーとして機能する。尚、携帯電話機１００のキー操作部１１の上下左右の矢印キー１１Ｍ〜１１Ｐを用いてもスクロール処理が実行可能である。
【００５８】
一方、ステップＳ１９において、ＣＰＵ２１は、操作者により、キー操作部１１の「＃」キー１１Ｌが入力されたか否かを判断し、入力されたと判断した場合（ステップＳ１９：Ｙｅｓ）には、ステップＳ２０に移行し、入力されていないと判断した場合（ステップＳ１９：Ｎｏ）には、ステップＳ２２に移行する。
【００５９】
ステップＳ２０において、ＣＰＵ２１は、ステップＳ１２において表示部１２に表示された撮像画像の表示画像を、中心部を中心にして全体的に縮小させた縮小画像データを作成し、図８に示すような、縮小画像１２ｄを表示部１２に表示させ、ステップＳ２１に移行する。このとき、図８の縮小画像１２ｄの画像領域を９分割する分割ラインと分割エリア番号とを重ねて表示し、指定画像領域の拡大表示処理を実行してもよい。
【００６０】
ステップＳ２１において、ＣＰＵ２１は、キー操作部１１において、画面を戻るコマンドと対応している任意の「戻る」キー（例えば、「０」キー１１Ｊ）が、操作者により入力されたか否かを判断し、入力されたと判断した場合（ステップＳ２１：Ｙｅｓ）には、ステップＳ１２に工程を戻り、再度、撮像画像の全画面表示を実行する。一方、ＣＰＵ２１は、上記「戻る」キーが入力されていないと判断した場合（ステップＳ２１：Ｎｏ）には、ステップＳ２２に移行する。
【００６１】
次いで、ステップＳ２２において、ＣＰＵ２１は、撮像画像の表示を終了させるコマンドと対応している任意の「終了」キー（例えば、「通話終了」キー１１Ｓ）が、操作者により入力されたか否かを判断し、入力されたと判断した場合（ステップＳ２２：Ｙｅｓ）には、本処理を終了させ、入力されていないと判断した場合（ステップＳ２２：Ｎｏ）には、所定時間待機したのち、ステップＳ１２に移行する。尚、「終了」キーの入力がない場合、所定時間の待機の後、強制終了する構成であってもよいし、或いは、ずっと前表示画面を表示させたままにしておく構成であってもよい。
また、ステップＳ１４、ステップＳ１６、ステップＳ１８、ステップＳ２０等において、操作者が所望するように撮像画像の大きさ及び倍率で表示された画像の形態で、所定の記録媒体等に記録したり、他の端末装置へ送信するという処理を続けて実行することが可能となっている。
【００６２】
このように、第１の実施の形態によれば、表示部１２に表示されている撮像画像が、複数の画像領域に分割されて分割表示画面部が作成され、その分割エリアに付された番号と、キー操作部１１との数字キーとが対応づけられ、数字キー１１Ａ〜１１Ｉのうち何れかを指定すると、対応する画像領域が自動的に拡大表示されるので、携帯電話機１００の小さな表示部１２において、容易な操作で撮像画像の画像処理が実行できる。
また、更に、キー操作部１１の「＊」キー１１Ｋ、「＃」キー１１Ｌを指定することにより、表示部１２に表示されている撮像画像の全体部分の拡大縮小表示が容易な操作で可能となっている。
また、数字キー１１Ａ〜１１Ｉは、拡大表示されている画像のスクロール処理における方向指定のカーソルキーとしても機能するので、便利である。
また、携帯電話機１００のように、キー操作部１１に設けられているキーが、通常のパーソナルコンピュータ等のキーボート等に比べて少ない場合にも、複数回キー操作することなく撮像画像の処理を実行することができるので便利である。また、ＰＤＡ等のキーボードにおいても、少ないキーにより実行できるので、移動中の操作等が容易となる。
【００６３】
尚、画像領域を指定するためのキー及びスクロール処理を実行するための指定キーは、１〜９の数字キー１１Ａ〜１１Ｉに限られるものではなく、画像領域の分割エリアの数量と同じであれば、何個であってもよく、また数字キーに限られる物ではない。同様に、撮像画像の全体的な拡大縮小表示を実行するためのキーも「＊」キー、「＃」キーに限定されるものではない。
【００６４】
［第２の実施の形態］
次いで、本発明の携帯端末装置の一例である携帯電話機１００の第２の実施の形態について、図１〜図１１を用いて以下で説明する。
【００６５】
本第２の実施の形態における携帯電話機１００の構成は、図１〜図３に示す第１の実施の形態における携帯電話機１００と同様であるので、図１〜図３と同符号を用いて説明し、各部の詳細な説明を省いて異なる点のみ以下で説明する。
【００６６】
本第２の実施の形態における携帯電話機１００のＣＰＵ２１は、実行手段として、撮像画像の明るさ、コントラスト等の画像表示調節を行うための調節画像を表示部１２に表示させ、キー操作部１１の操作に従って、画像調節処理を実行し、実行後の画像を表示部１２に表示させる。
【００６７】
また、ＲＯＭ２３には、画像調節処理として、撮像画像の明るさやコントラスト等の変更処理をＣＰＵ２１に実行させることが可能な画像処理プログラム（図示なし）が格納されている。
【００６８】
次いで、本第２の実施の形態における携帯電話機１００の動作について、図９のフローチャートを用いて、以下で説明する。尚、第１の実施の形態と同じ動作については図４のフローチャートのステップ番号を用いて説明することとする。
まず、図４のステップＳ１１と同様にして、ＣＰＵ２１により撮像部２４が制御されて撮像処理が実行される（ステップＳ２１）。
次いで、ＣＰＵ２１は、上記ステップＳ２１で撮像部２４により生成された撮像画像データをＲＡＭ２２に一時格納して表示部１２に表示させる。すると、例えば、図１０に示すような撮像画像１２ｅが表示部１２に表示される（ステップＳ２２）。
【００６９】
次いで、ＣＰＵ２１は、操作者のキー操作部１１の操作により表示されている撮像画像１２ｅの調節処理を行うための所定の画像調節キー（例えば、ファンクションキー１１Ｔ等）が入力されたか否かを、キー信号入力部２５からの入力信号の有無で判断し（ステップＳ２３）、画像調節キーが入力されたと判断した場合（ステップＳ２３：Ｙｅｓ）には、ステップＳ２４に移行し、画像調節キーが入力されていないと判断した場合（ステップＳ２３：Ｎｏ）には、ステップＳ２９に移行する。
【００７０】
ステップＳ２４において、ＣＰＵ２１は、ＲＯＭ２３より、画像調節処理を実行するための画像処理プログラム（図示なし）を読み出して、ＲＡＭ２２のワークエリアに展開した上で、同プログラムに従って、以下の処理における制御を開始する。
まず、ＣＰＵ２１は、表示部１２に表示されている撮像画像の調節を行うための画像調節表示を行い、例えば、図１１（ａ）に示すような画像調節表示１２１が表示された調節画像１２ｆを表示させる。図１１の画像調節表示１２１は、撮像画像の明るさと、コントラストとを調節するための座標軸状の表示になっており、この画像調節表示１２１の座標位置が、図１１（ｂ）に示すように、１〜９の数字キー１１Ａ〜１１Ｉのキー配置と対応づけられている。例えば、操作者は、撮像画像の表示を明るく、ぼんやりとした感じにしたい場合には、例えば、「１」キー１１Ａを押下し、コントラストは通常で、暗めの画像にしたい場合には、「８」キー１１Ｈを押下する。
【００７１】
上記のような状態において、ＣＰＵ２１は、１〜９の数字キー１１Ａ〜１１Ｉの内、何れかが押下されたか否かを判断し（ステップＳ２５）、押下されたと判断した場合（ステップＳ２５：Ｙｅｓ）には、ステップＳ２６に移行し、押下されていないと判断した場合（ステップＳ２５：Ｎｏ）には、ステップＳ２８に移行する。
【００７２】
ステップＳ２６において、ＣＰＵ２１は、ステップＳ２５で押下された数字キー（例えば、「３」キー１１Ｃ）に応じた画像調節処理を実行する。具体的に、ＣＰＵ２１は、画像処理プログラム（図示なし）に従って、「３」キー１１Ｃと対応づけられている、画像を明るくしかつコントラストをはっきりさせる画像処理を実行する。
【００７３】
次いで、ＣＰＵ２１は、上記画像調節を実行した撮像画像（図示なし）を、表示部１２に表示させる（ステップＳ２７）。
【００７４】
次いで、ＣＰＵ２１は、操作者により、調節画像を決定するための「決定」キー（例えば、キー１１Ｑ）が入力されたか否かを判断し（ステップＳ２８）、入力されたと判断した場合（ステップＳ２８：Ｙｅｓ）には、例えば、表示されている調節画像を所定の記録媒体に記録したり、他の端末装置等に送信する等の処理等を実行する等して、ステップＳ２９に移行する。
一方、ＣＰＵ２１は、「決定」キー（例えば、１１Ｑ）が入力されていないと判断した場合（ステップＳ２８：Ｎｏ）には、ステップＳ２５に工程を戻り、再度、画像調節が可能な状態で待機する。
【００７５】
ステップＳ２９において、ＣＰＵ２１は、本処理を終了するための「終了」キー（例えば、通話終了キー１１Ｓ）の入力の有無を判断し、入力が有ったと判断した場合（ステップＳ２９：Ｙｅｓ）には、本処理を終了させ、入力がないと判断した場合（ステップＳ２９：Ｎｏ）には、ステップＳ２２に工程を戻る。
【００７６】
尚、ステップＳ２９において終了キーの入力がない場合には、ステップＳ２２に工程を戻るのでなく、そのままの状態で待機したり、或いは他の工程に移行する構成であってもよい。
また、調節項目として、明るさとコントラストを例にして説明を行ったが、これらに限定されるものではなく、例えば、ホワイトバランス、階調補正、色調補正等どのようなものであってもよい。
【００７７】
このように第２の実施の形態によれば、撮像画像の調節処理が、その調節度合いにあった座標に配置されているキーを指定するだけで実行されるので、撮像画像の調節処理操作が容易となる。
【００７８】
［第３の実施の形態］
次いで、本発明にかかる携帯端末装置の一例である携帯電話機１００の第３の実施の形態において、図１〜図１３を用いて以下で説明する。
第３の実施の形態における携帯電話機１００は、第１、第２の実施の形態と同様の構成であるので、図１〜図３と同符号を用いて説明することとし、携帯電話機１００を構成する各部の機能の説明を省く。
【００７９】
第３の実施の形態における携帯電話機１００の動作について、図１２のフローチャートを用いて以下で説明を行う。尚、第１、第２の実施の形態と同じ動作については、図４又は図９のステップ番号を用いて説明する。
【００８０】
まず、図９のステップＳ２１、及びステップＳ２２と同様にして、ＣＰＵ２１の制御により撮像処理（ステップＳ３１）と、撮像画像の表示処理（ステップＳ３２）とが実行される。すると、図１０に示すような撮像画像１２ｅが、表示部１２に表示される。
【００８１】
次いで、ＣＰＵ２１は、ステップＳ２３と同様にして画像調節キー（例えば、ファンクションキー１１Ｔ）の入力の有無を判断する（ステップＳ３３）。
そして、ＣＰＵ２１は、画像調節キーの入力が有ったと判断した場合（ステップＳ３３：Ｙｅｓ）には、ステップＳ３４に移行し、入力がないと判断した場合（ステップＳ３３：Ｎｏ）には、ステップＳ４１に移行する。
【００８２】
ステップＳ３４において、ＣＰＵ２１は、画像を調節する項目の選択信号の入力の有無を判断する。より具体的には、例えば、調節項目として、例えば、コントラスト、明るさ、色調補正、階調補正、ホワイトバランス等があり、それらが、キー操作部１１の何れかのキーと対応づけられており、その対応づけられているキーが操作者により入力されると、ＣＰＵ２１は、調節項目が選択されたと判断する。
そして、ＣＰＵ２１は、調節項目が選択されたと判断した場合（ステップＳ３４：Ｙｅｓ）には、ステップＳ３５に移行し、調節項目が選択されていないと判断した場合（ステップＳ３４：Ｎｏ）には、ステップＳ４１に移行する。
【００８３】
ステップＳ３５において、ＣＰＵ２１は、図１３の（ａ）、（ｂ）に示すような、ステップＳ３４で選択された項目の調節画面１２ｇ、１２ｈを表示部１２に表示させる。
【００８４】
具体的には、例えば、ステップＳ３４において、コントラスト調節項目キーが選択された場合には、図１３の（ａ）の画像１２ｇのように、撮像画像上に、コントラストの段階（レベル）を調節するための調節表示１２２が表示される。この調節表示１２２は、コントラストの大きさによって、０〜９の１０段階に設定されており、この０〜９の段階の数字と、キー操作部１１の１〜０の数字キー１１Ａ〜１１Ｊとが、同じ数字同士で対応づけられている。図１３（ｂ）の画像１２ｈは、例えば、ステップＳ３４において、明るさが調節項目として選択された場合の調節画面の例であって、図１３（ａ）と同様に、明るさ調節表示１２３が表示されており、明るさの段階（レベル）と、１〜０までのキー１１Ａ〜１１Ｊとが同じ数字同士で対応づけられている。
【００８５】
次いで、ステップＳ３６において、ＣＰＵ２１は、上記数字キー１１Ａ〜１１Ｊの内、何れかのキーが入力されたか否かを判断し、入力されたと判断した場合（ステップＳ３６：Ｙｅｓ）には、ステップＳ３７に移行し、何れのキーも入力されていないと判断した場合には、ステップＳ３９に移行する。
【００８６】
ステップＳ３７において、ＣＰＵ２１は、入力された数字キーの入力に基づいて、例えば、コントラストや明るさ等の調節項目の調節レベルに合わせた画像調節処理を実行し、次いで、画像調節処理を実行した画像を表示部１２に表示させる（ステップＳ３８）。
【００８７】
次いで、ＣＰＵ２１は、上記画像調節処理の調節レベルで決定するか否かの「決定」キー（例えば、キー１１Ｑ）等の入力有無を判断し（ステップＳ３９）、「決定」キーの入力が有ったと判断した場合（ステップＳ３９：Ｙｅｓ）には、例えば、同画像の記録処理、送信処理等を実行してステップＳ４０に移行し、「決定」キーの入力がないと判断した場合（ステップＳ３９：Ｎｏ）には、ステップＳ３６に工程を戻る。
【００８８】
次いで、ステップＳ４０において、ＣＰＵ２１は、更に、調節項目の調節指示キーの入力の有無を判断する。そして、ＣＰＵ２１は、他の調節項目の選択キーの入力がないと判断した場合（ステップＳ４０：Ｎｏ）にはステップＳ４１に移行し、他の調節項目の選択キーの入力があったと判断した場合（ステップＳ４０：Ｙｅｓ）には、ステップＳ３６に工程を戻る。
【００８９】
ステップＳ４１において、ＣＰＵ２１は、操作者により本処理を終了させる「終了」キー（例えば、通話終了キー１１Ｓ）の入力有無を判断し、入力があったと判断した場合（ステップＳ４１：Ｙｅｓ）には、本処理を終了させ、所定時間が経過した後、入力がないと判断した場合（ステップＳ４１：Ｎｏ）には、ステップＳ３２に工程を戻る。尚、「終了」キーの入力がないと判断された場合に、ステップＳ３２に移行するのではなくともよい。
【００９０】
このように、第３の実施の形態によれば、撮像画像の画像調節処理において、その調節の段階（レベル）と、キー操作部１１の数字キーとが対応づけられており、数字キーを選択することにより容易に調節ができ便利である。特に、段階を上げたり下げたりする際に何度もキーを押下することなく１回で指定することができるため便利である。
尚、調節項目は、上述に限られず、どのようなものであってもよい。
【００９１】
［第４の実施の形態］
次いで、本発明の携帯端末装置の一例である携帯電話機１００の第４の実施の形態について、図１〜図１７を用いて以下で説明する。
【００９２】
本第４の実施の形態における携帯電話機１００の構成は、図１〜図１３に示す第１〜第３の実施の形態における携帯電話機１００と同様であるので、図１〜図１３と同符号を用いて説明し、各部の詳細な説明を省いて異なる点のみ以下で説明する。
【００９３】
本第４の実施の形態における携帯電話機１００は、例えば、撮像部２４により生成された撮像画像データ、及び通信部２６により他の装置等から受信した受信画像データ等の各種画像データを記憶するための画像蓄積メモリ（図示なし）を備えている。ここで、画像データは、例えば、ＪＰＥＧ方式、ＪＢＩＧ方式等により圧縮されている。尚、画像蓄積メモリにおいて、例えば、撮像データ、受信画像データ等の異なる種類の画像データは、それぞれ別のフォルダ等に格納されることにより分類されて記憶されていてもよい。
【００９４】
また、本第４の実施の形態における携帯電話機１００のＣＰＵ２１は、サムネイル作成手段として、上記画像蓄積メモリ（図示なし）に記憶されている画像データに基づいて、各画像のサムネイルを作成する。ここで、サムネイルとは、画像データを縮小して作成された画像であって、複数のサムネイルが表示部１２に一覧表示されることにより、画像処理を行う画像データを選択するための見本画像として用いられるものである。
【００９５】
また、ＣＰＵ２１は、サムネイル表示制御手段として、作成された複数のサムネイルを、９つの分割領域（分割表示部）のそれぞれに一のサムネイルを割り振って、一度に最大９つのサムネイルを一覧表示させるように制御する。
また、ＣＰＵ２１は、作成したサムネイルをＲＡＭ２２に一時格納させる。そして、ＣＰＵ２１は、画像処理手段として、キー操作部１１の押下信号に基づいてキー信号入力部２５により出力される信号に基づいて、それぞれの分割領域に表示されたサムネイルに対応する画像が選択されたと認識し、該画像データに対する所定の画像処理を実行する。
例えば、ＣＰＵ２１は、所定の画像処理として、選択された画像データに基づく画像を表示部１２の略全域に表示させる。
【００９６】
また、ＣＰＵ２１は、画像処理手段手段として、キー操作部１１のカーソルキーの押下信号に基づいて、表示部１２に表示するサムネイルのスクロール表示更新処理を制御する。即ち、表示部１２には、最大９つのサムネイルが表示可能であるが、サムネイルが９つ以上有る場合に、上下左右の４方向のうち少なくとも２つの方向を示すカーソルキー（例えば、矢印キー１１Ｍ、１１Ｎ、１１Ｏ、１１Ｐ等）の指定に基づき、表示部１２において、指定された方向にサムネイルの表示がスクロールするように、サムネイル表示の更新処理を実行する。
【００９７】
尚、本実施の形態において、所定の画像処理とは、上述した画像処理の他に、例えば、画像の表示処理、画像の拡大縮小等の加工処理、画像の送信処理等、画像に関する広範囲な処理を指すものとする。
【００９８】
また、ＲＡＭ２２には、サムネイルデータが一時格納され、ＲＯＭ２３には、サムネイル作成・表示機能を実現するためのプログラム（図示なし）が格納されている。
【００９９】
次いで、本第４の実施の形態における携帯電話機１００の動作について、図１４のフローチャートを用いて、以下で説明する。
【０１００】
まず、操作者によるキー操作部１１の操作により、記憶された画像のサムネイル表示を指示するための所定のキー操作が行われる（ステップＳ４１）。
【０１０１】
すると、同キー操作信号がキー信号入力部２５によりＣＰＵ２１に出力されるので、ＣＰＵ２１は、ＲＯＭ２３に格納されているサムネイル表示機能を実現するためのプログラム（図示なし）を、ＲＡＭ２２のワークエリアに格納した上で、同プログラムに従って、画像蓄積メモリ（図示なし）に記憶されている画像データのサムネイル作成処理を実行する（ステップＳ４２）。ここで、操作者の所定の操作により選択されたフォルダ内に記憶されている画像データのサムネイルを作成するようにしてもよい。
【０１０２】
次いで、ＣＰＵ２１は、作成したサムネイルのデータをＲＡＭ２２に一時格納した上で、表示部１２に出力して、複数のサムネイルを一覧表示させる（ステップＳ４３）。すると、表示部１２には、図１５に示すようなサムネイル表示画面１２ｉが表示される。
ここで、サムネイル表示画面１２ｉ上には、蓄積された画像データのうち、何れに所定の画像処理を行うかを選択するための見本画像としてのサムネイルが最大９つ表示されている。そして、各サムネイルを表示するために画像領域が９分割され、９つの分割領域（分割表示画面部）のそれぞれには、分割領域番号として１〜９の数字が表示されている。そして、この分割領域に表示されている１〜９の数字は、キー操作部１１の１〜９の数字キー１１Ａ〜１１Ｉのそれぞれと対応づけられている。
尚、上記分割領域番号は、キー操作部１１の所定の操作に基づいて、サムネイル表示画面１２ｉ上に表示・不表示の選択可能とする。
【０１０３】
次いで、ＣＰＵ２１は、操作者により、キー操作部１１の１〜９の数字キー１１Ａ〜１１Ｉの何れかのキーが押下されたか否かを、キー信号入力部２５からの入力信号の有無により判断する（ステップＳ４４）。
そして、ＣＰＵ２１は、１１Ａ〜１１Ｉのうち、何れかの数字キーが入力されたと判断した場合（ステップＳ４４：Ｙｅｓ）には、ステップＳ４５に移行し、数字キーが入力されていないと判断した場合（ステップＳ４４：Ｎｏ）には、ステップＳ５０に移行する。
【０１０４】
ステップＳ４５において、ＣＰＵ２１は、ステップＳ４４で入力された数字キー（例えば、「３」キー１１Ｃとする）と同じ番号の付けられている分割領域（例えば、３番）のサムネイルが選択されたと認識する。そして、ＣＰＵ２１は、選択されたサムネイルに対応する画像データを、表示画面の全領域に亘って、表示させたフルスクリーン表示画面１２ｊ（図１６）を表示部１２に表示させ、ステップＳ４６に移行する。
【０１０５】
次いで、ステップＳ４６において、ＣＰＵ２１は、例えば、図１６に示すように、表示部１２にフルスクリーン表示した画像を、所定の画像処理を行う画像として決定するためのキー（例えば、決定キー１１Ｑ等）のキー入力が行われたか否かを、キー信号入力部２５からの入力信号の有無で判断し、入力されたと判断した場合（ステップＳ４６：Ｙｅｓ）には、ステップＳ４７に移行し、入力されていないと判断した場合（ステップＳ４６：Ｎｏ）には、ステップＳ４８に移行する。
【０１０６】
次いで、ステップＳ４７において、ＣＰＵ２１は、決定された画像に対する様々な画像処理へと移行する。画像処理とは、例えば、第１〜第３の実施の形態で説明したような画像の拡大、縮小表示処理、画像の階調、色調、明るさ、コントラスト等の補正処理の他、画像の送信処理等であるとする。
【０１０７】
一方、ステップＳ４８において、ＣＰＵ２１は、キー操作部１１において、サムネイル表示画面に戻るためのコマンドと対応している任意の「戻る」キー（例えば、「０」キー１１Ｊ）が、操作者により入力されたか否かを、キー信号入力部２５からの入力信号の有無で判断し、入力されたと判断した場合（ステップＳ４８：Ｙｅｓ）には、ステップＳ４３に工程を戻り、入力されていないと判断した場合（ステップＳ４８：Ｎｏ）には、ステップＳ４９に移行する。
【０１０８】
次いで、ステップＳ４９において、ＣＰＵ２１は、画像の表示を終了させるコマンドと対応している任意の「終了」キー（例えば、「通話終了」キー１１Ｓ）が、操作者により入力されたか否かを判断し、入力されたと判断した場合（ステップＳ４９：Ｙｅｓ）には、本処理を終了させ、入力されていないと判断した場合（ステップＳ４９：Ｎｏ）には、所定時間待機したのち、ステップＳ４３に移行する。尚、「終了」キーの入力がない場合、所定時間の待機の後、強制終了する構成であってもよいし、或いは、ずっと前表示画面を表示させたままにしておく構成であってもよい。
【０１０９】
一方、ステップＳ５０において、ＣＰＵ２１は、キー操作部１１において、表示部１２に表示されたサムネイルをスクロールするための方向キー（例えば、矢印キー１１Ｍ、１１Ｎ、１１Ｏ、１１Ｐ等）が入力されたか否かを、キー信号入力部２５からの入力信号の有無で判断し、入力されたと判断した場合（ステップＳ５０：Ｙｅｓ）には、ステップＳ５１に移行し、入力されていないと判断した場合（ステップＳ５０：Ｎｏ）には、ステップＳ４４に工程を戻る。
【０１１０】
ステップＳ５１において、ＣＰＵ２１は、入力された方向キー（例えば、下キー１１Ｎ）の方向に、スクロールするように、表示部１２におけるサムネイルの更新表示処理を実行する。より詳細には、表示部１２には、最大９つのサムネイルが一度に表示可能である場合、表示可能なサムネイルが９つ以上有る場合、この表示更新処理により、スクロールするようにして３つのサムネイルずつに次々とサムネイルを表示させるものである。例えば、図１７に示すように、サムネイル表示画面１２ｋ（図１７（ａ））においてスクロール処理が実行された場合、図１７（ｂ）に示す更新サムネイル表示画面１２ｌに示すように、サムネイルの表示位置と、内容とが、更新される。
尚、スクロール処理の他、例えば、９つずつのサムネイルから構成されるサムネイル表示ページを、ページ単位で表示更新してもよい。また、一画面に表示するサムネイルの数は、９つに限定されるものではない。
また、矢印キー１１Ｍ、１１Ｎ、１１Ｏ、１１Ｐの他、「１」〜「９」の数字キー１Ａ〜１１Ｉを、８方向を示すカーソルキーとして用いてもよい。
【０１１１】
このように、第４の実施の形態によれば、表示部１２に所定の画像処理を行うための画像を選択するための見本画像としてのサムネイルが一覧表示され、そのサムネイルが表示されている分割領域と、その分割領域に付された番号と、キー操作部１１との数字キーとが対応づけられ、数字キー１１Ａ〜１１Ｉのうち何れかを指定すると、対応するサムネイルの画像が表示部１２に、自動的にフルスクリーン表示されるので、画像の選択処理が容易に実行できる。
また、矢印キー１１Ｍ、１１Ｎ、１１Ｏ、１１Ｐ等は、サムネイル表示のスクロール処理における方向指定のカーソルキーとしても機能するので、便利である。
【０１１２】
尚、分割領域は９つである必要はなく、キー操作部１１と対応していれば、いくつであってもよい。
また、ステップＳ４５、ステップＳ４６の処理を省略し、ステップＳ４４においてサムネイル画面において、任意のサムネイルが選択されると、ステップＳ４７に移行して該サムネイルの画像データに対する所定の画像処理へ移行する構成であってもよい。
【０１１３】
以上のように、第１から第３の実施の形態における携帯電話機１００によれば、撮像部２４から撮像した撮像画像に対して、少ないキー操作で各種画像処理を実行することができるので、備えられているキーが少ない携帯電話機において便利である。また、携帯するという特性上、例えば移動中、外出先等でも容易に操作でき便利である。更に、第４の実施の携帯電話機１００によれば、記憶されている画像データのうち、所定の画像処理を行いたい画像を選択するのが容易となり、携帯電話機１００における画像処理の効率化が実現する。
【０１１４】
尚、上記実施の形態は、一例に過ぎず、適宜変更可能である。
例えば、携帯電話機１００は、本発明にかかる携帯端末装置の一例として説明しただけであるので、例えば、ＰＨＳや、ポータブルコンピュータ、例えば、ＰＤＡ、ノート型パソコン等どのようなものであってもよい。ＰＤＡやノート型コンピュータ等のポータブルコンピュータは、ＰＨＳや携帯電話等の通信機能を複合的に有していても良いし、例えば、ブルートゥース等の無線通信機能を有していても良い。
また、画像処理の各種設定内容と、数字キーとを対応づけて操作を行うのがわかりやすく好ましいが、必ずしも数字キーでなくともよい。
【０１１５】
【発明の効果】
請求項１に記載の発明によれば、撮像手段により撮像された撮像データに対して所定の画像処理を実行させるためのコマンドと、複数のキーの各キーとが対応付けられており、実行手段により、操作者等により複数のキーのうち何れかが指定されると、その指定されたキーと対応付けられたコマンドに基づく画像処理が撮像データに対して実行され、表示制御手段により、実行手段により画像処理された撮像データが表示部に表示されるので、撮像データに対する多機能な画像処理が、より容易なキー操作に基づいて実行されて表示されることとなって、使いやすく大変便利なものとなる。
【０１１６】
請求項２に記載の発明によれば、請求項１に記載の発明と同様の効果が得られるのは勿論のこと、特に、複数のキーの一部がｎ行×ｍ列に配置され、表示部の表示画面をｎ行×ｍ列に分割した分割表示画面部と、ｎ行×ｍ列に配置された各キーとが夫々対応付けられており、実行手段により、指定されたキーに対応する分割表示画面部の撮像データに対して画像処理が実行されるので、撮像画像に対して、所定の画像領域の部分の指定処理及び指定した部分の画像処理を容易に実行することができる。
【０１１７】
請求項３に記載の発明によれば、請求項２に記載の発明と同様の効果が得られるのは勿論のこと、特に実行手段により、指定された分割表示画面部の撮像データの拡大処理が実行されるので、所望する分割表示画面部をより容易に拡大して表示部に表示することができる。
【０１１８】
請求項４に記載の発明によれば、請求項１に記載の発明と同様の効果が得られるのは勿論のこと、特に、複数のキーの一部が３行×３列に配置され、３行×３列に配置されたキーは、中央のキーを除いて８方向を示すカーソルキーとして構成され、実行手段により、指定されたキーに対応する方向に撮像データのスクロール処理が実行されるので、表示された撮像画像のスクロール処理が少ないキーで容易に行うことができる。
【０１１９】
請求項５に記載の発明によれば、請求項１に記載の発明と同様の効果が得られるのは勿論のこと、特に、複数のキーの一部が３行×３列に配置され、３行×３列に配置されたキーは、中央のキーを除いて８方向を示すカーソルキーとして構成され、３行×３列に配置されたキーの各方向と、所定の画像特性のレベルが変化する方向と、が対応付けられており、実行手段により、指定されたキーに対応する方向に所定の画像特性のレベルを調節する画像調節処理が実行されるので、画像特性の調節処理が、より容易なキー操作で実行できる。
【０１２０】
請求項６に記載の発明によれば、請求項１に記載の発明と同様の効果が得られるのは勿論のこと、特にキーは数字キーであり、所定の画像処理は、所定の画像特性のレベルを変化させる画像処理であり、キーの数字と、前記所定の画像特性のレベルとが対応付けられているので、所望の画像処理における所定の画像特性のレベルに対応した数字キーを指定するだけで画像特性のレベルが変化することとなって、操作がわかりやすい。また、レベルを数段階上げる場合でも一回の操作でできるので、より操作が容易である。
【０１２１】
請求項７に記載の発明によれば、サムネイル作成手段により、画像記憶部に記憶された画像データに基づいて各画像のサムネイルが作成され、サムネイル表示制御手段により、この複数のサムネイルが表示部に表示され、画像処理手段により、各サムネイルと対応づけられた複数キーの何れかが指定されると、指定されたキーに対応するサムネイルの画像データに対して所定の画像処理が行われる。従って、携帯端末装置の操作者は、サムネイルにより画像データの内容が把握できるので、所定の画像処理を行いたい画像の選択がし易くなる。
【０１２２】
請求項８に記載の発明によれば、請求項７に記載の発明と同様の効果が得られるのは勿論のこと、特に、複数のキーの一部がｎ行×ｍ列に配置され、表示部の表示画面をｎ行×ｍ列に分割した分割表示画面部と、ｎ行×ｍ列に配置された各キーとが夫々対応付けられており、画像処理手段により、指定されたキー対応する分割表示画面部に表示されているのサムネイルの画像データに対して画像処理が行われるので、画像処理を行いたい画像の選択処理がより容易となる。
【０１２３】
請求項９に記載の発明によれば、請求項７又は８に記載の発明と同様の効果が得られるのは勿論のこと、特に、画像処理手段により、指定された分割表示画面部のサムネイルの画像データの表示処理が実行されるので、所望する画像の表示選択処理を容易に行うことができる。
【０１２４】
請求項１０に記載の発明によれば、請求項７〜９の何れかに記載の発明と同様の効果が得られるのは勿論のこと、特に、少なくとも２方向を示すカーソルキーを備えており、サムネイル表示制御手段により、指定されたキーに対応する方向にスクロールするようにして、サムネイルの表示が更新されるので、サムネイルの参照がしやすい。
【０１２５】
請求項１１に記載の発明によれば、請求項１〜１０の何れか一項に記載の発明と同様の効果が得られるのは勿論のこと、特に、携帯電話機において、撮像画像を処理する際に、操作が容易であるため便利である。
【０１２６】
請求項１２に記載の発明によれば、請求項１〜１０の何れか一項に記載の発明と同様の効果が得られるのは勿論のこと、特に、ポータブルコンピュータにおいて、撮像画像を処理する際に、操作が容易であるため便利である。
【図面の簡単な説明】
【図１】本発明にかかる携帯端末装置の一例である携帯電話機の外観を示す斜視図であり、（ａ）は前から見た図であり、（ｂ）は、後から見た図である。
【図２】図１の携帯電話機の内部構造を説明するためのブロック図である。
【図３】図１の携帯電話機のキー操作部のキー配列を説明するための正面図である。
【図４】本発明における第１の実施の形態の動作を説明するためのフローチャートである。
【図５】第１の実施の形態における撮像画像の表示例を示す図である。
【図６】図５の撮像画像の一部を拡大させた場合の表示例を示す図である。
【図７】図５の撮像画像を全体的に拡大させた場合の表示例を示す図である。
【図８】図５の撮像画像を全体的に縮小させた場合の表示例を示す図である。
【図９】本発明における第２の実施の形態の動作を説明するためのフローチャートである。
【図１０】第２の実施の形態における撮像画像の表示例を示す図である。
【図１１】図１０の撮像画像の調節を行うための図面であって、（ａ）は、画像調節表示例を示す図であり、（ｂ）は、画像調節を行うキー操作部１１の対応を示す図である。
【図１２】本発明における第３の実施の形態を説明するためのフローチャート図である。
【図１３】第３の実施の形態における画像調節表示例を示す図である。
【図１４】本発明における第４の実施の形態を説明するためのフローチャート図である。
【図１５】第４の実施の形態におけるサムネイル表示の一例を示す図である。
【図１６】第４の実施の形態におけるフルスクリーン表示の一例を示す図である。
【図１７】第４の実施の形態におけるサムネイル表示のスクロール処理を説明するための表示例であって、（ａ）は、スクロール前の表示例、（ｂ）は、スクロール後の表示例である。
【符号の説明】
１００　携帯電話機（携帯端末装置）
１１　キー操作部
１１Ａ〜１１Ｖ　キー
１１Ａ〜１１Ｊ　数字キー
１１Ｍ〜１１Ｐ　矢印キー（カーソルキー）
１２　表示部（分割表示画面部）
２１　ＣＰＵ（実行手段、表示制御手段、サムネイル作成手段、サムネイル表示制御手段、画像処理手段）
【図１】
2004070912.tif 000003
【図２】
2004070912.tif 000004
【図３】
2004070912.tif 000005
【図４】
2004070912.tif 000006
【図５】
2004070912.tif 000007
【図６】
2004070912.tif 000008
【図７】
2004070912.tif 000009
【図８】
2004070912.tif 000010
【図９】
2004070912.tif 000011
【図１０】
2004070912.tif 000012
【図１１】
2004070912.tif 000013
【図１２】
2004070912.tif 000014
【図１３】
2004070912.tif 000015
【図１４】
2004070912.tif 000016
【図１５】
2004070912.tif 000017
【図１６】
2004070912.tif 000018
【図１７】
2004070912.tif 000019